【手続補正書】
【提出日】平成16年12月13日(2004.12.13)
【手続補正１】
【補正対象書類名】明細書
【補正対象項目名】発明の名称
【補正方法】変更
【補正の内容】
【発明の名称】情報処理装置およびジョブ処理方法および記憶媒体およびプログラムおよび情報処理方法
【手続補正２】
【補正対象書類名】明細書
【補正対象項目名】特許請求の範囲
【補正方法】変更
【補正の内容】
【特許請求の範囲】
【請求項１】
ネットワークを介する通信により情報処理装置からジョブを受信して処理する周辺機器であって、
前記ジョブの開始タイミングを特定するためのジョブ処理開始モードに対して指定可能な属性値を保持する属性値保持手段と、
前記情報処理装置からの属性値獲得要求に基づき、前記属性値保持手段に保持されている前記ジョブ処理モードを指定するための属性値を前記情報処理装置に返信する返信手段と、
を有することを特徴とする周辺機器。
【請求項２】
前記属性値は、前記ジョブの開始タイミングを特定するために指定可能な値であることを特徴とする請求項１記載の周辺機器。
【請求項３】
前記ジョブ処理開始モードは、前記ジョブの投入後に指定された時間の経過後に該ジョブを実行させるモードを含むことを特徴とする請求項１記載の周辺機器。
【請求項４】
前記属性値は、前記指定可能なジョブ投入後の経過時間の最大値であることを特徴とする請求項１記載の周辺機器。
【請求項５】
前記指定可能な時間は、絶対時間または相対時間であることを特徴とする請求項３記載の周辺機器。
【請求項６】
ネットワークを介して所定の機能処理を実行する周辺機器と通信してジョブの処理を要求する情報処理装置であって、
前記ジョブの開始タイミングを特定するためのジョブ処理開始モードの属性値の獲得要求を行う属性値獲得手段と、
前記属性値獲得手段により獲得された前記属性値に基づき、表示手段に対して指定可能なジョブ処理開始モードの一覧を表示する表示制御手段と、
を有することを特徴とする情報処理装置。
【請求項７】
ネットワークを介する通信により情報処理装置からジョブを受信して処理する周辺機器におけるジョブ処理方法であって、
前記情報処理装置からの属性値獲得要求に基づき、属性値保持手段に保持されている前記ジョブの開始タイミングを特定するための前記ジョブ処理モードを指定するための属性値を前記情報処理装置に返信する返信ステップを有することを特徴とするジョブ処理方法。
【請求項８】
ネットワークを介して所定の機能処理を実行する周辺機器と通信してジョブの処理を要求する情報処理装置におけるジョブ処理方法であって、
前記ジョブの開始タイミングを特定するためのジョブ処理開始モードの属性値の獲得要求を行う属性値獲得ステップと、
前記属性値獲得ステップにより獲得された前記属性値に基づき、表示手段に対して指定可能なジョブ処理開始モードの一覧を表示する表示制御ステップと、を有することを特徴とするジョブ処理方法。
【請求項９】
前記属性値獲得ステップは、前記周辺機器を制御するデバイスドライバに組み込み可能とすることを特徴とする請求項８記載のジョブ処理方法。
【請求項１０】
前記表示制御ステップは、前記表示手段に表示されたジョブ処理開始モードの一覧中に対する選択指示に応答して、該選択されたジョブ処理開始モードに対する指定値入力画面をさらに表示することを特徴とする請求項８記載のジョブ処理方法。
【請求項１１】
前記ジョブ処理開始モードは、前記ジョブの投入後に指定された時間の経過後に該ジョブを実行させるモードを含むことを特徴とする請求項８記載のジョブ処理方法。
【請求項１２】
前記属性値は、前記指定可能なジョブ投入後の経過時間の最大値であることを特徴とする請求項８記載のジョブ処理方法。
【請求項１３】
前記指定可能な時間は、絶対時間または相対時間であることを特徴とする請求項１１記載のジョブ処理方法。
【請求項１４】
請求項８〜１３のいずれかに記載のジョブ処理方法を実現するプログラムを記憶したコンピュータが読み取り可能な記憶媒体。
【請求項１５】
請求項８〜１３のいずれかに記載のジョブ処理方法を実現するプログラム。
【請求項１６】
情報処理装置からのジョブを処理する周辺機器であって、
ジョブの処理を開始する条件がそれぞれ異なる複数種類の開始モードのうち、前記周辺機器で指定可能な１または複数の開始モードを示す属性値を保持する属性値保持手段と、
前記情報処理装置からの属性値の取得の要求に基づき、前記属性値保持手段に保持されている、前記周辺機器で指定可能な１または複数の開始モードを示す属性値を、前記情報処理装置に返信する返信手段と、
を有することを特徴とする周辺機器。
【請求項１７】
前記開始モードは、ジョブが前記周辺機器に入力されるのに応じてジョブが処理され始めるモード、ジョブが前記周辺機器に入力されてから、指定された時間が経過した後にジョブが処理され始めるモード、ジョブが前記周辺機器に入力された後、指定された時刻になるのに応じてジョブが処理され始めるモード、ジョブが前記周辺機器に入力された後、当該ジョブに対応するパスワードが入力されるのに応じて、ジョブが処理され始めるモードジョブが前記周辺機器に入力された後、印刷の指示が入力されるのに応じてジョブが処理され始めるモードのいずれかを含むことを特徴とする請求項１６に記載の周辺機器。
【請求項１８】
属性値の取得を要求する取得コマンド、属性値の設定を要求する属性設定コマンド、またはジョブデータを送信するための送信コマンドを受信する受信手段と、
前記受信手段により受信されたコマンドがいずれのコマンドであるかを判定するコマンド判定手段と、
受信手段により受信されたコマンドが属性設定コマンドで、当該属性設定コマンドが開始モードを示す属性値を含む場合、当該属性値が示す開始モードに従って、ジョブの処理を開始するタイミングを制御する開始制御手段とを有することを特徴とする請求項１に記載の周辺機器。
【請求項１９】
ジョブを処理する周辺機器と通信可能な情報処理装置で行われる情報処理方法であって、
ジョブの処理を開始する条件がそれぞれ異なる複数種類の開始モードのうち、前記周辺機器で指定可能な１または複数の開始モードを示す属性値を前記周辺機器から取得するする属性値取得ステップと、
前記属性値取得ステップで取得された属性値に基づき、前記周辺機器で指定可能な開始モードの一覧を表示する一覧表示ステップと、
を有することを特徴とする情報処理方法。
【手続補正３】
【補正対象書類名】明細書
【補正対象項目名】０００１
【補正方法】変更
【補正の内容】
【０００１】
【発明の属する技術分野】
本発明は、ネットワークを介する通信により情報処理装置からジョブを受信して処理する周辺機器および該周辺機器と通信する情報処理装置およびジョブ処理方法および記憶媒体およびプログラムおよび情報処理方法に関するものである。
【手続補正４】
【補正対象書類名】明細書
【補正対象項目名】０００５
【補正方法】変更
【補正の内容】
【０００５】
本発明は、上記の問題点を解決するためになされたもので、本発明の第１の目的は、ネットワークを介する通信により情報処理装置からジョブを受信して処理する周辺機器において、ジョブの開始タイミングを特定するためのジョブ処理開始モードに対して指定可能な属性値を保持しておき、情報処理装置からの属性値獲得要求に基づき、該保持されている前記ジョブ処理モードを指定するための属性値を情報処理装置に返信することにより、周辺機器において指定可能なジョブ処理モードを情報処理装置に認識させることができる周辺機器およびジョブ処理方法および記憶媒体およびプログラムおよび情報処理方法を提供することである。
【手続補正５】
【補正対象書類名】明細書
【補正対象項目名】０００６
【補正方法】変更
【補正の内容】
【０００６】
第２の目的は、ネットワークを介して所定の機能処理を実行する周辺機器と通信してジョブの処理を要求する情報処理装置において、ジョブの開始タイミングを特定するためのジョブ処理開始モードの属性値の獲得要求を行い、該要求に対して周辺機器から返信される属性値に基づき、表示手段に対して指定可能なジョブ処理開始モードの一覧を表示し、該表示されたジョブ処理開始モードの一覧中に対する選択指示に応答して、該選択されたジョブ処理開始モードに対する指定値入力することにより、情報処理装置が周辺機器のジョブ処理開始モードの指定有無を容易に認知して、ユーザにジョブ処理開始モードを明示して、ユーザが意図するジョブ処理モードを自在に指定できるジョブ処理環境を構築できる情報処理装置およびジョブ処理方法および記憶媒体およびプログラムおよび情報処理方法を提供することである。
【手続補正６】
【補正対象書類名】明細書
【補正対象項目名】０００７
【補正方法】変更
【補正の内容】
【０００７】
【課題を解決するための手段】
本発明に係る第１の発明は、ネットワークを介する通信により情報処理装置からジョブを受信して処理する周辺機器であって、前記ジョブの開始タイミングを特定するためのジョブ処理開始モードに対して指定可能な属性値を保持する属性値保持手段と、前記情報処理装置からの属性値獲得要求に基づき、前記属性値保持手段に保持されている前記ジョブ処理モードを指定するための属性値を前記情報処理装置に返信する返信手段とを有することを特徴とする
【手続補正７】
【補正対象書類名】明細書
【補正対象項目名】００１１
【補正方法】変更
【補正の内容】
【００１１】
本発明に係る第５の発明は、前記指定可能な時間は、絶対時間または相対時間であることを特徴とする。
【手続補正８】
【補正対象書類名】明細書
【補正対象項目名】００１２
【補正方法】変更
【補正の内容】
【００１２】
本発明に係る第６の発明は、ネットワークを介して所定の機能処理を実行する周辺機器と通信してジョブの処理を要求する情報処理装置であって、前記ジョブの開始タイミングを特定するためのジョブ処理開始モードの属性値の獲得要求を行う属性値獲得手段と、前記属性値獲得手段により獲得された前記属性値に基づき、表示手段に対して指定可能なジョブ処理開始モードの一覧を表示する表示制御手段とを有することを特徴とする。
【手続補正９】
【補正対象書類名】明細書
【補正対象項目名】００１３
【補正方法】変更
【補正の内容】
【００１３】
本発明に係る第７の発明は、ネットワークを介する通信により情報処理装置からジョブを受信して処理する周辺機器におけるジョブ処理方法であって、前記情報処理装置からの属性値獲得要求に基づき、属性値保持手段に保持されている前記ジョブの開始タイミングを特定するための前記ジョブ処理モードを指定するための属性値を前記情報処理装置に返信する返信ステップを有することを特徴とする。
【手続補正１０】
【補正対象書類名】明細書
【補正対象項目名】００１４
【補正方法】変更
【補正の内容】
【００１４】
本発明に係る第８の発明は、ネットワークを介して所定の機能処理を実行する周辺機器と通信してジョブの処理を要求する情報処理装置におけるジョブ処理方法であって、前記ジョブの開始タイミングを特定するためのジョブ処理開始モードの属性値の獲得要求を行う属性値獲得ステップと、前記属性値獲得ステップにより獲得された前記属性値に基づき、表示手段に対して指定可能なジョブ処理開始モードの一覧を表示する表示制御ステップと、を有することを特徴とする。
【手続補正１１】
【補正対象書類名】明細書
【補正対象項目名】００１５
【補正方法】変更
【補正の内容】
【００１５】
本発明に係る第９の発明は、前記属性値獲得ステップは、前記周辺機器を制御するデバイスドライバに組み込み可能とすることを特徴とする。
【手続補正１２】
【補正対象書類名】明細書
【補正対象項目名】００１６
【補正方法】変更
【補正の内容】
【００１６】
本発明に係る第１０の発明は、前記表示制御ステップは、前記表示手段に表示されたジョブ処理開始モードの一覧中に対する選択指示に応答して、該選択されたジョブ処理開始モードに対する指定値入力画面をさらに表示することを特徴とする。
【手続補正１３】
【補正対象書類名】明細書
【補正対象項目名】００１７
【補正方法】変更
【補正の内容】
【００１７】
本発明に係る第１１の発明は、前記ジョブ処理開始モードは、前記ジョブの投入後に指定された時間の経過後に該ジョブを実行させるモードを含むことを特徴とする。
【手続補正１４】
【補正対象書類名】明細書
【補正対象項目名】００１８
【補正方法】変更
【補正の内容】
【００１８】
本発明に係る第１２の発明は、前記属性値は、前記指定可能なジョブ投入後の経過時間の最大値であることを特徴とする。
【手続補正１５】
【補正対象書類名】明細書
【補正対象項目名】００１９
【補正方法】変更
【補正の内容】
【００１９】
本発明に係る第１３の発明は、前記指定可能な時間は、絶対時間または相対時間であることを特徴とする。
【手続補正１６】
【補正対象書類名】明細書
【補正対象項目名】００２０
【補正方法】変更
【補正の内容】
【００２０】
本発明に係る第１４の発明は、第８〜第１３の発明のいずれかのジョブ処理方法を実現するプログラムをコンピュータが読み取り可能な記憶媒体に記憶したことを特徴とする。
【手続補正１７】
【補正対象書類名】明細書
【補正対象項目名】００２１
【補正方法】変更
【補正の内容】
【００２１】
本発明に係る第１５の発明は、第８〜第１３の発明のいずれかのジョブ処理方法を実現するプログラムであることを特徴とする。
【手続補正１８】
【補正対象書類名】明細書
【補正対象項目名】００２２
【補正方法】変更
【補正の内容】
【００２２】
本発明に係る第１６の発明は、情報処理装置からのジョブを処理する周辺機器であって、ジョブの処理を開始する条件がそれぞれ異なる複数種類の開始モードのうち、前記周辺機器で指定可能な１または複数の開始モードを示す属性値を保持する属性値保持手段と、前記情報処理装置からの属性値の取得の要求に基づき、前記属性値保持手段に保持されている、前記周辺機器で指定可能な１または複数の開始モードを示す属性値を、前記情報処理装置に返信する返信手段と、を有することを特徴とする。
【手続補正１９】
【補正対象書類名】明細書
【補正対象項目名】００２３
【補正方法】変更
【補正の内容】
【００２３】
本発明に係る第１７の発明は、前記開始モードは、ジョブが前記周辺機器に入力されるのに応じてジョブが処理され始めるモード、ジョブが前記周辺機器に入力されてから、指定された時間が経過した後にジョブが処理され始めるモード、ジョブが前記周辺機器に入力された後、指定された時刻になるのに応じてジョブが処理され始めるモード、ジョブが前記周辺機器に入力された後、当該ジョブに対応するパスワードが入力されるのに応じて、ジョブが処理され始めるモードジョブが前記周辺機器に入力された後、印刷の指示が入力されるのに応じてジョブが処理され始めるモードのいずれかを含むことを特徴とする。
【手続補正２０】
【補正対象書類名】明細書
【補正対象項目名】００２４
【補正方法】変更
【補正の内容】
【００２４】
本発明に係る第１８の発明は、属性値の取得を要求する取得コマンド、属性値の設定を要求する属性設定コマンド、またはジョブデータを送信するための送信コマンドを受信する受信手段と、前記受信手段により受信されたコマンドがいずれのコマンドであるかを判定するコマンド判定手段と、受信手段により受信されたコマンドが属性設定コマンドで、当該属性設定コマンドが開始モードを示す属性値を含む場合、当該属性値が示す開始モードに従って、ジョブの処理を開始するタイミングを制御する開始制御手段とを有することを特徴とする。
【手続補正２１】
【補正対象書類名】明細書
【補正対象項目名】００２５
【補正方法】変更
【補正の内容】
【００２５】
本発明に係る第１９の発明は、ジョブを処理する周辺機器と通信可能な情報処理装置で行われる情報処理方法であって、ジョブの処理を開始する条件がそれぞれ異なる複数種類の開始モードのうち、前記周辺機器で指定可能な１または複数の開始モードを示す属性値を前記周辺機器から取得するする属性値取得ステップと、前記属性値取得ステップで取得された属性値に基づき、前記周辺機器で指定可能な開始モードの一覧を表示する一覧表示ステップとを有することを特徴とする。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】０１３１
【補正方法】変更
【補正の内容】
【０１３１】
【発明の効果】
以上説明したように、本発明によれば、ネットワークを介する通信により情報処理装置からジョブを受信して処理する周辺機器において、ジョブの開始タイミングを特定するためのジョブ処理開始モードに対して指定可能な属性値を保持しておき、情報処理装置からの属性値獲得要求に基づき、該保持されている前記ジョブ処理モードを指定するための属性値を情報処理装置に返信するので、周辺機器において指定可能なジョブ処理モードを情報処理装置に認識させることができるという効果を奏する。
【手続補正３２】
【補正対象書類名】明細書
【補正対象項目名】０１３２
【補正方法】変更
【補正の内容】
【０１３２】
また、ネットワークを介して所定の機能処理を実行する周辺機器と通信してジョブの処理を要求する情報処理装置において、ジョブの開始タイミングを特定するためのジョブ処理開始モードの属性値の獲得要求を行い、該要求に対して周辺機器から変身される属性値に基づき、表示手段に対して指定可能なジョブ処理開始モードの一覧を表示し、該表示されたジョブ処理開始モードの一覧中に対する選択指示に応答して、該選択されたジョブ処理開始モードに対する指定値入力するので、情報処理装置が周辺機器のジョブ処理開始モードの指定有無を容易に認知して、ユーザにジョブ処理開始モードを明示して、ユーザが意図するジョブ処理モードを自在に指定できるジョブ処理環境を構築できるという効果を奏する。